(57)【要約】本発明は、横断せん断力によって爪を切断して、爪及び指を安全に保護するとともに、一度の動作で爪を切ることができる爪切りに関する。本発明の爪切り（２０）は、爪切りのボディー（２１）と、爪が挿入されるように、ボディーに設けられた爪挿入部（２２）と、爪挿入部を中心に設けられ、爪挿入部を通過した爪に対して横断切断力を与えるようにボディーに設けられたカッター（３０）と、からなる。【選択図】図３
2012515044.tif 000002
【特許請求の範囲】
【請求項１】
爪切りのボディーと、
爪が挿入されるように、前記ボディーに設けられた爪挿入部と、
前記爪挿入部を中心に設けられ、前記爪挿入部を通過した爪に対して横断切断力を与えて爪を切るように、前記ボディーに設けられたカッターと、からなり、
前記ボディーは、互いに着脱可能な上ケースと下ケースからなり、
前記上ケースと下ケースにはそれぞれ溝が形成されて、前記上ケースと下ケースが結合されれば、前記溝によって爪挿入部が形成され、
前記上ケースと下ケースの爪挿入部の内側には、前記カッターを支持固定することができるカッター固定部が設けられ、前記カッターが前記カッター固定部に結合されたことを特徴とする爪切り。
【請求項２】
前記カッターは、前記ボディーに支持固定される固定板の一面が、爪を切断する刃面を有するカッター刃部からなることを特徴とする請求項１に記載の爪切り。
【請求項３】
前記カッターは、前記ボディーに支持固定される固定板の一部が切欠された溝からなり、前記切欠された溝の面部は、爪を切断させる刃面を有するカッター刃部からなることを特徴とする請求項１に記載の爪切り。
【請求項４】
前記カッターは、前記爪挿入部を基準に側面の何れか一つの方向に取り付けられることを特徴とする請求項１に記載の爪切り。
【請求項５】
前記カッターは、前記爪挿入部を基準に側面の両方向に対称的に取り付けられることを特徴とする請求項１に記載の爪切り。
【請求項６】
前記爪挿入部が形成されるボディーのヘッド部は、指の接触を誘導するために、その先端の表面が外側に丸いラウンド型として形成されることを特徴とする請求項１に記載の爪切り。
【請求項７】
前記爪挿入部の上面及び下面は、爪の形状に対応するラウンド面として形成されることを特徴とする請求項１に記載の爪切り。
【請求項８】
爪切りのボディーと、
爪が挿入されるように、前記ボディーに設けられた爪挿入部と、
前記爪挿入部を中心に設けられ、前記爪挿入部を通過した爪に対して横断切断力を与えて爪を切るように、前記ボディーに設けられたカッターと、からなり、
前記カッターは、前記ボディーに支持固定される固定板の一面が爪を切断する刃面を有するカッター刃部からなることを特徴とする爪切り。
【請求項９】
前記固定板の一部が切欠された溝からなり、その切欠された溝の面部は、爪を切断させる刃面を有するカッター刃部からなることを特徴とする請求項８に記載の爪切り。
【請求項１０】
爪切りのボディーと、
爪が挿入されるように、前記ボディーに設けられた爪挿入部と、
前記爪挿入部を中心に設けられ、前記爪挿入部を通過した爪に対して横断切断力を与えて爪を切るように、前記ボディーの内部に設けられるカッターと、前記ボディーのカッターの近傍に形成されて、前記カッターによって切られた爪を前記ボディーの外部に排出されるための爪排出穴とからなることを特徴とする爪切り。
【請求項１１】
前記ボディーは、着脱可能な上ケースと下ケースからなり、前記ボディーの内部に、切られた爪を前記爪排出穴に誘導するための隔壁が設けられることを特徴とする請求項１０に記載の爪切り。
【請求項１２】
爪切りのボディーと、
爪が挿入されるように、前記ボディーに設けられた爪挿入部と、
前記爪挿入部を中心に設けられ、前記爪挿入部を通過した爪に対して横断切断力を与えて爪を切るように、前記ボディーの内部に設けられたカッターと、
前記爪挿入部への爪の挿入を案内し、爪挿入部に挿入される爪の深さを調節するように、前記爪挿入部に対応する形状に、前記ボディーのヘッド部に前方に突設されて指の先端の接触を誘導する爪挿入ガイド兼深さ調節ガイドとを備えることを特徴とする爪切り。
【請求項１３】
前記ガイドは、前記ボディーのヘッド部に一体型に形成されたことを特徴とする請求項１２に記載の爪切り。
【請求項１４】
爪切りのボディーと、
爪が挿入されるように、前記ボディーに設けられた爪挿入部と、
前記爪挿入部を中心に設けられ、前記爪挿入部を通過した爪に対して横断切断力を与えて爪を切るように、前記ボディーの内部に設けられたカッターと、
爪の切断方向及び爪の初期位置を表示するように、前記爪挿入部の形状に対応して前記ボディーのヘッド部の一端で前方に突設される方向指示突出ガイドと、を備えることを特徴とする爪切り。
【請求項１５】
前記方向指示突出ガイドは前記ヘッド部に一体型に形成されたことを特徴とする請求項１４に記載の爪切り。
【発明の詳細な説明】
【技術分野】
【０００１】
本発明は、爪切りに係り、さらに詳細には、横断せん断力によって爪を切断して、爪及び指を安全に保護するとともに、一度の動作で爪を切ることができる爪切りに関する。
【背景技術】
【０００２】
従来の爪切りは、カッター刃の間に爪を入れてカッターを押し、その押圧力で爪を切断する構造を有する。
【０００３】
このような従来の爪切りは、弾性のある金属板をプレス加工などの方法によって、一端にカッターを備える爪切りの本体の形状を半加工して、これに押圧力をてこの原理として伝達できる作動台（てこ）を組み合わせたものである。
【０００４】
従来の爪切り１０のカッター１１は、図１に示すような三日月の形状を有するものが代表的である。カッター１１は、ボディー１２の端部に位置して、爪をカッター１１の間に入れることができ、ボディー１２の弾性によって普段は広げられている状態であり、カッター１１の上下の刃は互いに対応するように垂直方向に対向する対称形であり、外部から押圧力が与えられれば、鋭い刃が当接してせん断力を発生させる。
【０００５】
作動台１３と上側のボディー１２とはピン１４を軸として結合されており、作動台１３の端部には、ボディー１２のカッター１１を押し得る突起が形成されており、作動台１３の内側には、爪を研いだり整えることのできる爪ヤスリ板１５が形成されている。
【０００６】
従来の爪切り１０の使用上の不便さや性能を改善するための改良された爪切りについての技術が知られているが、前述のカッター１１とボディー１２の相互関係による基本構造からあまり変わっていない。
【０００７】
しかし、このような従来の爪切り１０は、作動台１３を押圧してせん断力を発生させるため、その使用が難しく、かつ不便であり、次のような問題点があった。
【０００８】
作動台１３を押圧せねばならないため、その使用が難しく、使い間違えたら爪が切られ過ぎてしまうため安全でない。
【０００９】
爪を切るときに肉眼で切断部位を予想して操作するため、爪の切られる長さを正確に調整し難い。
【００１０】
また、作動台１３を強く押圧せねばならないため、乳児や子供にはさらに使いづらい。
【００１１】
指の形状に対応して爪を切るため、カッター１１の形状はこのような点に鑑みて形成されるが、一度に丸い形状に爪を切ることができないため、数回繰り返して切ることになる。
【００１２】
さらに、切られた爪が外部に飛び散るため、それを集めて捨てなければならないという不便さがあった。
【発明の概要】
【発明が解決しようとする課題】
【００１３】
したがって、本発明は、前述の問題点に鑑みてなされたものであって、本発明の目的は、横断せん断力によって爪を切断して、便利、安全、かつ容易に使用することができる爪切りを提供することである。
【００１４】
本発明の他の目的は、爪や指を損傷させずに安全に使用できるとともに、一度の動作で迅速に爪を切ることができる爪切りを提供することである。
【００１５】
本発明のさらに他の目的は、切られた爪を回収して処理することができる爪切りを提供することである。
【００１６】
本発明のさらに他の目的は、標準化された爪切断深さ調節機能を有する爪切りを提供することである。
【００１７】
本発明のさらに他の目的は、爪の切断時に切断方向を認知させ、初期位置を定めるようにして、容易に使用することができる爪切りを提供することである。
【課題を解決するための手段】
【００１８】
前記目的を達成するための本発明による爪切りは、爪切りのボディーと、爪が挿入されるように、前記ボディーに設けられた爪挿入部と、前記爪挿入部を中心に設けられ、前記爪挿入部を通過した爪に対して横断切断力を与えるように、前記ボディーに取り付けられたカッターとからなり、前記カッターは、前記ボディーに支持固定された固定板を備え、前記固定板の一面は爪を切断する刃面を有するカッター刃部からなることを特徴とする。
【００１９】
本発明による他の爪切りは、爪切りのボディーと、爪が挿入されるように前記ボディーに設けられた爪挿入部と、前記爪挿入部を中心に設けられ、前記爪挿入部を通過した爪に対して横断切断力を与えるように、前記ボディーに取り付けられたカッターとからなり、前記ボディーは、上ケースと下ケースにそれぞれ区分して構成され、前記上ケースと下ケースには相互結合時に爪挿入部が形成されるように、それぞれ爪挿入部を形成する溝が形成され、前記上ケースと下ケースの爪挿入部の内側には、前記カッターを支持固定することができるカッター固定部が構成されて、前記カッターを前記カッター固定部に結合したことを特徴とする。
【００２０】
本発明によるさらに他の爪切りは、爪切りのボディーと、爪が挿入されるように前記ボディーに設けられた爪挿入部と、前記爪挿入部を中心に設けられ、前記爪挿入部を通過した爪に対して横断切断力を与えるように前記ボディーの内部に備えられたカッターと、前記ボディーの側面のカッターの近傍に形成されて、前記カッターによって切られた爪を前記ボディーの外部に排出させるための爪排出穴とからなることを特徴とする。
【００２１】
本発明によるさらに他の爪切りは、爪切りのボディーと、爪が挿入されるように前記ボディーに設けられた爪挿入部と、前記爪挿入部を中心に設けられ、前記爪挿入部を通過した爪に対して横断切断力を与えるように前記ボディーの内部に備えられたカッターと、前記爪挿入部への爪の挿入を案内し、前記爪挿入部に挿入される爪の深さを調節するように、前記爪挿入部の形状に対応して前記爪挿入部の前方に突設されて、指の先端の接触を誘導する爪挿入ガイド兼深さ調節ガイドと、を備えることを特徴とする。
【００２２】
本発明によるさらに他の爪切りは、爪切りのボディーと、爪が挿入されるように前記ボディーに設けられた爪挿入部と、前記爪挿入部を中心に設けられ、前記爪挿入部を通過した爪に対して横断切断力を与えて爪を切るように、前記ボディーの内部に備えられたカッターと、爪の切断方向及び爪の初期位置を表示するように、前記爪挿入部の形状に対応して、前記ボディーのヘッド部の一端で前方に突設される方向指示突き出ガイドと、を備えることを特徴とする。
【発明の効果】
【００２３】
本発明による爪切りは、爪の切断時に爪や指の損傷なしに安全に使用することができるとともに、一度の動作で迅速に爪の切断を完了して、誰でも容易かつ簡便に使用することができる。また、切られた爪の回収処理時に別途に爪を回収する必要がない。
【図面の簡単な説明】
【００２４】
【図１】従来の爪切りの構成図である。
【図２】本発明の実施形態による爪切りの斜視図である。
【図３】本発明の実施形態による爪切りの分解斜視図である。
【図４】本発明の実施形態による爪切りの爪挿入部を示す図であって、（ａ）は水平型の爪挿入部であり、（ｂ）はラウンド型の爪挿入部である。
【図５】本発明の実施形態による爪切りのヘッド部を示す図であって、（ａ）は外ラウンド面型のヘッド部であり、（ｂ）は水平面型のヘッド部であり、（ｃ）は内ラウンド面型のヘッド部である。
【図６】本発明の実施形態による単式型カッターを示す図であって、（ａ）は単式ラウンド刃面対応型カッターであり、（ｂ）は単式ラウンド刃面対応型カッターであり、（ｃ）は単式直線刃面対応型カッターである。
【図７】本発明の他の実施形態による単式型カッターを示す図であって、（ａ）は単式ラウンド刃面カッターであり、（ｂ）は単式ラウンド刃面カッターであり、（ｃ）は単式直線刃面カッターである。
【図８】本発明の実施形態に他の複式型カッターを示す図であって、（ａ）は複式ラウンド刃面対応型カッターであり、（ｂ）は複式ラウンド刃面対応型カッターであり、（ｃ）は複式直線刃面対応型カッターである。
【図９】本発明の実施形態によるカッターの装着例を示す図であって、（ａ）は左側方向切断型カッターの配置例であり、（ｂ）は右側方向切断型カッターの配置例である。
【図１０】本発明の実施形態によるカッターの装着例を示す図であって、（ａ）はカッターの左側配置状態を示し、（ｂ）はカッターの右側配置状態を示し、（ｃ）はカッターの左右側配置状態を示す。
【図１１】本発明の他の実施形態によるカッターの装着例を示す図であって、（ａ）はカッターの左側上下配置状態を示し、（ｂ）はカッターの右側上下配置状態を示し、（ｃ）はカッターの左右側上下配置状態を示す。
【図１２】本発明の実施形態による爪切りの使用状態の要部を抜粋した平断面図である。
【図１３】本発明の実施形態を説明するための爪切りを示す図である。
【図１４】本発明の他の実施形態による爪切りの全体構造を説明するための平面図である。
【図１５】図１５は、図１４による本発明の実施形態による爪切りの要部を示す一側斜視図である。
【図１６】図１４による本発明の実施形態による爪切りの使用状態を示す説明図である。
【発明を実施するための形態】
【００２５】
以下、添付図面を参照して本発明の好ましい実施形態を詳細に説明すれば次の通りである。
【００２６】
本発明による爪切り２０は、図２及び図３に示すように、爪切りのボディー２１と、前記ボディーに設けられた爪挿入部２２と、前記爪挿入部２２を中心に設けられ、前記爪挿入部２２を通過した爪に対して横断切断力を与えるように、前記ボディー２１に取り付けられたカッター３０と、前記ボディー２１の側面の前記カッター３０の近傍に形成されて、前記カッター３０によって切られた爪を前記ボディー２１の外部に排出させるための爪排出穴２９とから構成される。
【００２７】
前記ボディー２１は、独立した状態で移動可能な構造を有するように形成されるか、または、図示されてはいないが、構造物に直接固定される型として構成されることができる。
【００２８】
前記ボディー２１は、着脱可能な上ケース２４及び下ケース２５で構成されることができ、前記ボディー２１の内部には切られた爪５４を前記爪排出穴２９に誘導するための隔壁２９ａが設けられることができる。前記ボディー２１を構成する下ケース２５の内部を空の空間２７で形成すれば、切られた爪を回収することができる空間として活用することができる。また、下ケース２５の表面には爪を整え得る爪ヤスリ板２８を付着すれば、簡単に爪を整えることができる。
【００２９】
前記ボディー２１の前記上ケース２４及び下ケース２５のそれぞれのヘッド部２３には溝が形成されて、上ケース２４と下ケース２５との結合によって爪挿入部２２を形成することができる。
【００３０】
前記上ケース２４及び下ケース２５の内側には、カッター３０を支持固定することができるカッター固定部２６が設けられ、前記カッター固定部２６にカッター３０を固定させることができる。カッター３０とカッター固定部２６との結合にあたって、カッター３０が着脱可能な構造、例えば、カッター３０とカッター固定部２６とが互いに挿入結合される構造を有するように形成されれば、カッター３０を交換することが可能である。
【００３１】
前記爪挿入部２２は、ボディー２１に爪を挿入するように誘導するための部分であって、爪の端部が容易に進入可能なように形成されることが好ましい。例えば、爪挿入部２２は、爪の形状に対応するように丸いラウンド面（図４の（ｂ））として形成されることが好ましい。しかし、たとえ丸いラウンド面ではないとしても、爪を挿入可能な形状である水平型（図４の（ａ））として形成することも可能である。ここで、爪挿入部２２の溝のサイズは爪の厚さよりやや厚い、約５ｍｍ以内にすることが好ましい。
【００３２】
爪挿入部２２が形成されるボディー２１のヘッド部２３は、図５に示すように、指の先端部を自然に接触させるために、選択的に多様な形状を有するように形成することができる。例えば、爪挿入部２２が形成されるボディー２１のヘッド部２３は、指の接触を誘導するために、そのヘッド部２３の先端面の表面が外側に丸く形成された外ラウンド面型（図５の（ａ））、水平面型（図５の（ｂ））、内側に丸く形成された内ラウンド面型（図５の（ｃ））として構成することができる。
【００３３】
一方、爪排出穴２９は、前記ボディー２１の側面の前記カッター３０の近傍に形成されて、前記カッター３０によって切られる爪を前記ボディー２１の外部に排出させる。前記爪排出穴２９は、ボディー２１の一側面に形成するか、またはボディー２１の両側面に形成することができる。
【００３４】
前記カッター３０は、図６ないし図８に示すような多様な形状を選択して、ボディー２１の爪挿入部２２の内側に取り付けることができ、カッター固定部２６に支持固定される固定板３１を備える。カッター３０は、一つの固定板３１に刃面３３を形成した単式型（図６及び図７）と、カッター３０の固定板３１を互いに対向させて、上部刃面３３と下部刃面３３をそれぞれ形成して組み合わせる複式型（図８）のうち何れか一つを選択して構成されることができる。図６の（ａ）、（ｂ）、及び（ｃ）は単式型カッター３０を示すものであって、固定板３１の一面を刃面３３として形成したものであり、図７の（ａ）、（ｂ）、及び（ｃ）は他の単式型カッター３０を示すものであって、固定板３１の一部を切欠して、その切欠された溝３２に爪を通過させて爪を切断する刃面３３を有するカッター刃部３４で構成されている。
【００３５】
前記刃面３３は直線状または曲面状に形成されることができる。前記刃面３３が直線状である場合、その刃面間の角度が５°〜１７５°または１８５°〜３５５°であることが好ましい。
【００３６】
図９は、一つの固定板３１を有するカッター３０が取り付けられた例を示す。図１０の（ａ）及び（ｂ）に示すように、カッター３０を爪挿入部２２を基準に側面の何れか一つの方向に取り付けることができ、図１０の（ｃ）に示すように、爪挿入部２２を基準に側面の両方向に対称的または非対称的に取り付けることができる。また、図１１の（ａ）、（ｂ）、及び（ｃ）に示すように、二つのカッター３０を爪挿入部２２を中心に上側及び下側にそれぞれ取り付けて構成することができる。
【００３７】
一方、図１４ないし図１６に示すように、本発明の爪切りは、指の先端との接触を誘導する爪挿入ガイド兼深さ調節ガイド５６を備えることができる。前記爪挿入ガイド兼深さ調節ガイド５６は、前記ボディー２１の下ケース２５のヘッド部２３に、前記爪挿入部２２の形状に対応するように、爪挿入部２２の前方に突出するように設けられて、好ましくは、一体型に形成されて、前記爪挿入部２２に爪の挿入を案内し、挿入される爪５４の深さを調節することができる。本発明の爪切りは、爪が切られる初期位置及び方向を容易に認知させる方向指示突出ガイド５７を備えることができる。前記方向指示突出ガイド５７は、前記爪挿入ガイド兼深さ調節ガイド５６の一端で爪挿入部２２の前方に突設されることができる。
【００３８】
このように構成された本発明による爪切りの使用方法を詳細に説明すれば次の通りである。
【００３９】
図１２、図１３及び図１６に示すように、爪切り２０の爪挿入部２２に指を当て、爪を爪挿入部２２の間に挿入して一方向に、図１２ではＡ方向に、図１３ではＡ１及びＡ２方向に押圧力を作用させれば、爪挿入部２２に取り付けられたカッター３０の刃面３３によって、爪挿入部２２に挿入された爪５４が切られ、切られた爪５４は隔壁２９ａによってボディー２１の内部に移動せずに爪排出穴２９から排出される。
【００４０】
すなわち、押圧せん断力で爪を切る従来の爪切りと異なり、本発明による爪切りは、爪を爪挿入部２２に挿入して一方向に指または爪切りを移動させれば、一度に爪を安全かつ容易に切ることができる。
【００４１】
また、指の先端は、ヘッド部２３の表面の前方に突出した爪挿入ガイド兼挿入深さ調節ガイド５６と接触し、指はカッター５３と接触しないため、さらに安全に使用することができ、爪を爪挿入部２２に容易に挿入することができるため、乳児や子供も容易に使用することができ、爪挿入部２２に挿入される爪の深さを確認することができるため、爪の切られる量を調節することができる。
【００４２】
また、爪を押しながら切るとき、角度が一定でないため、どの角度から切ればよいか分かり難く感覚的に爪を切らねばならないが、方向指示突出ガイド５７に爪の先端をやや接触させ、爪が完全に切られるまで指を離さずに行うことによって爪を容易に切ることができる。爪挿入ガイド兼挿入深さ調節ガイド５６及び方向指示突出ガイド５７によって、爪を押しながら切る方向の位置をユーザが予め認知することができる。したがって、爪切りのユーザは、爪を押す初期位置や爪挿入深さを前記爪挿入ガイド兼深さ調節ガイド５６及び方向指示突出ガイド５７を通じて指の先端部の接触感覚によって爪挿入の深さや定位置に関する情報を予め得ることができるため、爪を押す初期位置を正確に認知して爪を切ることができ、爪挿入部への爪の進入深さが一定になるため、意図された切断長さよりさらに長く爪が切られたり、逆に、意図された切断長さよりさらに短く爪が切られたりする問題を防止することができる。
【００４３】
本発明は、好ましい実施形態に関連して説明されたが、本発明の要旨と範囲から逸脱せずに多様な修正及び変形が可能であるということは、当業者ならは容易に認識することができ、このような変更及び修正は特許請求の範囲に記載された範囲に属する。
【符号の説明】
【００４４】
２０   爪切り
２１   ボディー
２２   爪挿入部
２３   ヘッド部
２４   上ケース
２５   下ケース
２６   カッター固定部
２７   空間
２９   爪排出穴
３０   カッター
３１   固定板
３２   溝
３３   刃面
３４   カッター刃部
５４   爪
５６   爪挿入ガイド兼深さ調節ガイド
５７   方向指示突出ガイド
【図１】
2012515044.tif 000003
【図２】
2012515044.tif 000004
【図３】
2012515044.tif 000005
【図４（ａ）】
2012515044.tif 000006
【図４（ｂ）】
2012515044.tif 000007
【図５（ａ）】
2012515044.tif 000008
【図５（ｂ）】
2012515044.tif 000009
【図５（ｃ）】
2012515044.tif 000010
【図６（ａ）】
2012515044.tif 000011
【図６（ｂ）】
2012515044.tif 000012
【図６（ｃ）】
2012515044.tif 000013
【図７（ａ）】
2012515044.tif 000014
【図７（ｂ）】
2012515044.tif 000015
【図７（ｃ）】
2012515044.tif 000016
【図８（ａ）】
2012515044.tif 000017
【図８（ｂ）】
2012515044.tif 000018
【図８（ｃ）】
2012515044.tif 000019
【図９（ａ）】
2012515044.tif 000020
【図９（ｂ）】
2012515044.tif 000021
【図１０（ａ）】
2012515044.tif 000022
【図１０（ｂ）】
2012515044.tif 000023
【図１０（ｃ）】
2012515044.tif 000024
【図１１（ａ）】
2012515044.tif 000025
【図１１（ｂ）】
2012515044.tif 000026
【図１１（ｃ）】
2012515044.tif 000027
【図１２】
2012515044.tif 000028
【図１３】
2012515044.tif 000029
【図１４】
2012515044.tif 000030
【図１５】
2012515044.tif 000031
【図１６】
2012515044.tif 000032
【国際調査報告】
2012515044.tif 000033
2012515044.tif 000034
2012515044.tif 000035
2012515044.tif 000036